【事件の表示】
　平成１１年特許願第２７５８６８号「詰め替え用パウチ」拒絶査定不服審判事件〔平成１３年４月１０日出願公開、特開２００１−９７４０５号〕について、次のとおり審決する。
【結　論】
　本件審判の請求は、成り立たない。
【理　由】
第１　手続の経緯 　
　本願は、平成１１年９月２９日の出願であって、平成１８年８月１０日付け拒絶理由通知に応答して、平成１８年１０月１３日に明細書を対象とする手続補正がなされたが、平成１９年５月１日付けで拒絶査定され、これに対し、平成１９年６月８日に拒絶査定不服審判の請求がなされるとともに平成１９年６月２６日に明細書を対象とする手続補正がなされたものである。　
　  
第２　平成１９年６月２６日になされた手続補正についての補正却下の決定
［補正却下の決定の結論］　　
　平成１９年６月２６日になされた手続補正（以下、「本件補正」という）を却下する。　
［理由］　　
１．本件補正の内容
　本件補正は、平成１８年１０月１３日に補正された明細書をさらに補正するものであり、補正前の【特許請求の範囲】の請求項１に、「上辺側の切欠の形状をＵ字状か若しくは底部が丸くなったＶ字状」とあるのを、「上辺側の切欠の形状をＵ字状」とする補正（以下、補正Ａという。）と、補正前の【特許請求の範囲】の請求項１に、「易開封手段の開封開始方向を当該切欠の底部の接線に直交する方向とし、」とあるのを「易開封手段をその開封開始方向が当該切欠の底部の接線に直交するように配置し、その切欠の底部に易開封手段の切っ掛けとなるノッチを設け、」とする補正（以下、補正Ｂという。）とを含んでいる。　
  　
２．新規事項追加の有無、補正の目的の適否　　
　これらの補正は、本願の願書に最初に添付した明細書及び図面の実施例に関する記載を参照すれば、新規事項を追加するものではない。　　
　そして、補正Ａは、上辺側の切欠の形状がＵ字状か若しくは底部が丸くなったＶ字状であるとして択一的に記載されていたものを、Ｕ字状として限定するものであり、それにより、産業上の利用分野や解決しようとする課題が変更されるものでもない。　
　また、補正Ｂは、切欠の底部の形状として特定がなかったものを、切欠の底部に易開封手段の切っ掛けとなるノッチが設けられているものとして限定するものであり、それにより、産業上の利用分野や解決しようとする課題が変更されるものでもない。　　
　したがって、本件補正は、補正前の請求項１に記載された上辺側の切欠の形状やその底部の構成を限定して特定する補正を含むものであり、特許請求の範囲の減縮を目的とするものに該当する。　
　そこで、本件補正後の請求項１に記載された事項により特定される発明が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。　
　
３．本願補正発明　
　補正後の本願の請求項１に係る発明（以下、「本願補正発明」という。）は、上記「本件補正」において、補正後の請求項１に記載された事項により特定される次のとおりのものである。
「上辺側と側辺側の切欠により斜め上方を向くノズル形状の注出口部が上部コーナーに設けられ、両側の切欠をつなぐ箇所に注出口部の先端部を切り取るための易開封手段が設けられた詰め替え用パウチにおいて、上辺側の切欠の形状をＵ字状にするとともに、易開封手段をその開封開始方向が当該切欠の底部の接線に直交するように配置し、その切欠の底部に易開封手段の切っ掛けとなるノッチを設け、側辺側の切欠の形状を注出口部の先端部からパウチの側辺にかけて滑らかにＳ字状につながった形状としたことを特徴とする詰め替え用パウチ。」　
　
４．刊行物、及び刊行物に記載された発明　
　原査定の拒絶理由に引用された本願出願日前に頒布された刊行物である特開平１１−２５５２４９号公報（以下「刊行物１」という。）には、以下の事項が図面とともに記載されている。　
（ａ）「【０００１】本発明は、製造コストが安く内容物の取り出しが容易な、詰め替え用の調味料、レトルト食品、化粧品や洗剤等に用いられる包装袋に関する。」　
（ｂ）「【課題を解決するための手段】本発明によれば、プラスチックフィルムをヒートシールして形成された包装袋において、ノズル状の注出口の開封予定部に易開封加工部を設け、上記易開封加工部が複数本形成されており、少なくとも隣り合う同士の易開封加工部の比較的深い部分と比較的浅い部分が、隣接あるいは小間隔をおいた状態で連続、近接もしくは重なり合っている包装袋が提供される。」　
（ｃ）「【００１２】本発明の包装袋１では、上方にノズル状の注出口２を設けるが、この注出口２は図１に見られるように上方のコーナー部に設けることが好ましい。ノズル状の注出口２の寸法や形状は、充填される内容物の種類や、詰め替える他の容器の口部の寸法に応じて適宜設定すればよい。」
（ｄ）「【００１３】本発明では、この注出口２の開封予定部に複数本の易開封加工部５設け、少なくとも隣り合う同士の易開封加工部５の比較的深い部分９と比較的浅い部分１０が、隣接あるいは小間隔をおいた状態で連続、近接もしくは重なり合っていることを特徴とする。」　
（ｅ）「【００１４】このような易開封加工部５としては、注出口２を横断するミシン目やスコア、その他の薄肉弱化加工部あるいはそれらの組合せが挙げられ、さらにＩ形又はＶ形ノッチとの組合せが挙げられる。」　
（ｆ）「【００１８】つぎに、カライドビームによるレーザー加工で形成した易開封加工部５を、図に基づいて説明する。ノズル状の注出口２に設けられる易開封加工部５は、図４に示すように、開封方向を横切る方向に互いに隣接状態あるいは小間隔をおいた状態に、谷部７と山部８との複数の対からなる弱化層として形成し、谷部６の深浅及び山部７の高さが変化し、図５に示すように矢印Ｂの開封方向に沿って緩やかに、上記谷部７の深浅及び山部８の高さが変化するように形成する。」　
（ｇ）「【００２５】易開封加工部５は図１に見られるように、包装袋１の縦軸に対して直角方向すなわち水平方向に設けることができ、また、図２及び図３に見られるように、注出口２の縦軸に対して直角方向に設けるようにしてもよい。」　
　
　そして、上記各記載、及び各図から次の事項は明白である。　
・特に図２から、包装袋の上辺側に設けられた凹部は、垂直方向に平行な２本の直線の下端部のそれぞれを「下に凸の曲線」により結んだ形状をしており、「下に凸の曲線」部分が当該凹部の底部を構成していること。
・特に図２から、包装袋の上辺側の凹部の底部から側辺側の凹部にかけてミシン目が形成されていること。
・特に摘記事項（ｅ）から、ミシン目にはＩ形ノッチが形成されていること。
・特に図２から、開封後には上辺側の凹部の一部と側辺側の凹部の一部を利用してノズル状の抽出口が形成されること。
　
  したがって、刊行物１には次の発明が記載されているものと認められる。
「上辺側と側辺側の凹部により斜め上方を向くノズル状の注出口が上方のコーナー部に設けられ、両側の凹部をつなぐ箇所に注出口の先端部を切り取るためのミシン目が設けられた包装袋において、上辺側の凹部の形状を垂直方向に平行な２本の直線の下端部のそれぞれを下に凸の曲線により結んだ形状にするとともに、ミシン目が凹部の底部と結ばれるように配置し、その凹部の底部にミシン目の切っ掛けとなるＩ形ノッチを設け、側辺側の凹部の形状を注出口の先端部から袋の側辺にかけて底部が丸くなった略Ｖ字状とした包装袋。」（以下、この発明を「引用発明」という。）　
　
５．対比 　
　本願補正発明と引用発明とを対比すると、その文言上の意義、構造及び機能等からみて、引用発明における「凹部」は、本願補正発明の「切欠」に相当し、以下同様に、「ノズル状の注出口」は「ノズル形状の注出口部」に、「上方のコーナー部」は「上部コーナー」に、「ミシン目」は「易開封手段」に、「包装袋」は「詰め替え用パウチ」に、「袋」は「パウチ」にそれぞれ相当する。
　そして、引用発明の「垂直方向に平行な２本の直線の下端部のそれぞれを下に凸の曲線により結んだ形状」と本願補正発明の「Ｕ字状」とは、略Ｕ字状である限りにおいて一致する。
　また、引用発明の「Ｉ形ノッチ」は、本願補正発明の「ノッチ」に含まれる。
　さらに、引用発明の「注出口の先端部から袋の側辺にかけて底部が丸くなった略Ｖ字状」と本願補正発明の「注出口部の先端部からパウチの側辺にかけて滑らかにＳ字状につながった形状」とは、曲線形状である限りにおいて一致する。　
　したがって、両者の一致点及び相違点は次のとおりである。　 　　
〈一致点〉　
「上辺側と側辺側の切欠により斜め上方を向くノズル形状の注出口部が上部コーナーに設けられ、両側の切欠をつなぐ箇所に注出口部の先端部を切り取るための易開封手段が設けられた詰め替え用パウチにおいて、上辺側の切欠の形状を略Ｕ字状にするとともに、易開封手段が切欠の底部と結ばれるように配置し、その切欠の底部に易開封手段の切っ掛けとなるノッチを設け、側辺側の切欠の形状を曲線形状とした包装袋。」　　
〈相違点１〉　　
　本願補正発明においては、上辺側の切欠の形状をＵ字状にするとともに、易開封手段をその開封開始方向が当該切欠の底部の接線に直交するように配置するのに対して、引用発明においては、上辺側の凹部の形状を「垂直方向に平行な２本の直線の下端部のそれぞれを下に凸の曲線により結んだ形状」として、ミシン目を当該凹部の底部と結ばれるように配置する点。　
〈相違点２〉　　
　本願補正発明においては、側辺側の切欠の形状を注出口部の先端部からパウチの側辺にかけて滑らかにＳ字状につながった形状としているのに対して、引用発明においては、側辺側の凹部の形状を注出口の先端部から袋の側辺にかけて底部が丸くなった略Ｖ字状としている点。　
　
６．判断  　
（１）相違点１について　
（１−１）本願補正発明の相違点１に係る構成の技術的意義について　　
本願の明細書の段落【０００４】、【００１１】、【００２５】、【００２８】、【００２９】、【００３０】には、本願補正発明の技術的課題に関連して次のように記載されている。　
　　
Ａ．「【０００４】
【発明が解決しようとする課題】従来の技術で述べた図１に示す詰め替え用パウチは、上部ヒートシール部４より内容物を充填した後、当該部分をヒートシールして製品となる。そして、使用時に、ノッチ１０のところからハーフカット線９に沿って開封すると、先端が尖ったノズル形状になるので、ボトルの口に差し込んで注入操作を容易に行うことができるものである。この開封に際し、摘み部８とノッチ１０の近くを摘んで逆方向にひねると、ノッチ１０のところから上手く開封できる。しかしながら、摘みやすさからして、どうしても摘み部８とその横にある上辺部分を把持して逆方向にひねることが多く、このように力を入れるとノッチ１０のところに応力が集中しないので、ハーフカット線９のところで開封できないという問題点がある。したがって、折角易開封手段があるにもかかわらず、ハサミで切り取るようなことが起こる。」　
Ｂ．「【００１１】・・・易開封手段の開封開始方向を、切欠の底部の接線に直交する方向に設定しておけば、開封操作を最も効果的に行うことができる。その理由としては、開封時には摘み部とヒートシール部側とを逆方向にひねることとなるが、その際に接線と直交する方向に一番力が集中するからである。」　
Ｃ．「【００２５】・・・製袋されたパウチＰの上部コーナーには、上辺側の切欠７ａと側辺側の切欠７ｂにより斜め上方を向くノズル形状の注出口部６が設けられ、上辺側の切欠７ａは摘み部８を形成する形状に、また側辺側の切欠７ｂはボトルの口に当てがいやすいような形状になっている。本実施例では、上辺側の切欠７ａはＵ字状にトリミングされている。・・・」　
Ｄ．「【００２８】・・・内容物を他の容器に移し替える際には、摘み部８とその横にある上部ヒートシール部４の端を把持して逆方向にひねることにより、ノッチ１０を切っ掛けにしてハーフカット線９に沿って簡単にしかも確実に引き裂いて注出口部６を開封することができる。・・・」　
Ｅ．「【００２９】このようにして開封したパウチＰは、上辺側の切欠の形状がＵ字状であるために排出口は尖った形状にはならない。したがって、口径の小さな通常のボトルでは移し替えが難しいが、前述の如き垂れ防止ボトルであれば問題なく移し替えることができる。」　
Ｆ．「【００３０】図６は図２及び図３に示した詰め替え用パウチの変形例で、ハーフカット線９をその方向が切欠７ａの底部の接線Ｓに直交するように配置し、さらにハーフカット線９と接線Ｓの交わるところに開封用のノッチ１０を設けたものである。このように、ハーフカット線９を設けておけば、摘み部８と上部ヒートシール部４の端を把持して逆方向にひねった際に、接線Ｓと直交するハーフカット線９に力が集中するので、開封操作を一層簡単に行うことができる。」　
　
　これらの記載からみて、本願補正発明の相違点１に係る構成の技術的意義は、詰め替え用パウチの上辺側にＵ字状の切欠を設けることで、開封時の摘み部を形成するとともに、開封後には当該切欠の一部の形状を利用した排出口が形成されるようにして、さらに易開封手段の開封開始方向を、当該切欠の底部の接線に直交する方向に設定することにより、開封動作、すなわち摘み部とヒートシール部側とを逆方向にひねる動作をした際に、当該接線と直交する方向に形成された易開封手段に力が集中するようにして、開封操作を効果的に行うことにあると解することができる。　
　
　一方、引用発明の包装袋の上辺側の凹部の形状は、左右対称のＵ字状ではないものの、本願補正発明と同様に、当該凹部の両側に開封時の摘み部が形成されており、開封後には当該凹部の一部の形状を利用した排出口が形成されるようになっている。
　そして、包装袋において、開封に利用する切欠の形状をＵ字状とすることは、実願昭５４−０４５４６０号（実開昭５５−１４５４５０号）のマイクロフィルムや特開平７−３００１４６号公報、特開平１０−１１４３６２号公報、実願平４−２７１１６号（実開平５−８１０４２号）のＣＤ−ＲＯＭに記載されているように従来より周知の技術である。
　また、一般に、切欠を構成する曲線部に剪断力が作用した際には、その作用点における接線と直交する方向に力が集中することは、広く知られていることであり、これを利用して包装袋の開封を容易化するミシン目やノッチなどの開封開始方向を、切欠を構成する曲線の接線に直交した方向に設定することも、特開平７−３００１４６号公報（【００２３】及び図１）、特開平８−３４４４８号公報（【００２３】及び図１）、登録実用新案第３００６９４４号公報（【０００５】、【０００６】、図１２）に記載されているように、従来より周知な技術である。　
　したがって、引用発明において、上記周知技術を適用して、上辺側の切欠の形状をＵ字状にするとともに、易開封手段をその開封開始方向が当該切欠の底部の接線に直交するように配置するように構成することは当業者が容易になし得たことである。　
　
（２）相違点２について　
　詰め替え用パウチにおいて、側辺側の切欠の形状を注出口部の先端部からパウチの側辺にかけて滑らかにＳ字状につながった形状とすることは、特開平１０−１１４３６２号公報、特開平１０−２５８８７３号公報、実願平５−５２９２６号（実開平７−４４９４３号）のＣＤ−ＲＯＭに記載されているように、従来より周知の技術である。　
　したがって、引用発明において、上記周知技術を適用して、側辺側の切欠の形状を注出口部の先端部からパウチの側辺にかけて滑らかにＳ字状につながった形状とすることは当業者が容易になし得たことである。　
　
（３）相違点についてのまとめ  　
　本願補正発明を全体構成でみても、引用発明及び周知技術から予測できる作用効果以上の顕著な作用効果を奏するものではない。　
　したがって、本願補正発明は、上記刊行物１に記載された発明、及び周知技術に基いて当業者が容易に発明をすることができたものであり、特許法第２９条第２項の規定により特許を受けることができないものである。　
　
７．補正却下についてのむすび 　
　以上のとおり、本願補正発明は、特許出願の際に独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反するので、特許法第１５９条第１項において読み替えて準用する同法第５３条第１項の規定により却下すべきものである。　
　
第３　本願発明  　
　本件補正は、上記のとおり却下されたので、本願の請求項１及び２に係る発明は、平成１８年１０月１３日に補正された明細書の特許請求の範囲の請求項１及び２に記載された事項により特定されるとおりのものであるところ、請求項１は以下のとおりのものである。　
　
「上辺側と側辺側の切欠により斜め上方を向くノズル形状の注出口部が上部コーナーに設けられ、両側の切欠をつなぐ箇所に注出口部の先端部を切り取るための易開封手段が設けられた詰め替え用パウチにおいて、上辺側の切欠の形状をＵ字状か若しくは底部が丸くなったＶ字状にするとともに、易開封手段の開封開始方向を当該切欠の底部の接線に直交する方向とし、側辺側の切欠の形状を注出口部の先端部からパウチの側辺にかけて滑らかにＳ字状につながった形状としたことを特徴とする詰め替え用パウチ。」（以下、この発明を「本願発明」という）　
　
第４　引用例の記載事項　
　原査定の拒絶の理由に引用された刊行物、及びその記載事項は、前記第２、「４．刊行物、及び刊行物に記載された発明」に記載したとおりである。　　
第５　対比・判断　
　上記第２、「１．本件補正の内容」での検討によれば、本願発明は、前記第２、「３．本願補正発明」から、上辺側の切欠の形状やその底部の構成限定を省いたものである。　
　そうすると、本願発明の発明特定事項をすべて含み、さらに、他の発明特定事項を付加したものに相当する本願補正発明が、前記第２、「５．対比」及び「６．判断」で検討したように、引用発明及び周知技術に基づいて、当業者が容易に発明をすることができたものであるから、本願発明も、同様に、引用発明及び周知技術に基づいて、当業者が容易に発明をすることができたものである。　
　
第６　むすび　
　以上のとおり、本願発明は、本願出願日前に頒布された刊行物に記載された発明、及び周知技術に基づいて、当業者が容易に発明をすることができたものであり、特許法第２９条第２項の規定により特許を受けることができないから、他の請求項に係る発明を検討するまでもなく、本願は拒絶すべきものである。　
　よって、結論のとおり審決する。